(57)【要約】【課題】車載型電子機器を実際に車両に設置する工事を行うときには、工事するに最適な初期位置に設定され、車載型電子機器を展示するときには、展示開始の前に行われている煩雑なパネル角度調節作業を行うことなく車載型電子機器に対して最良の展示状態とする。【解決手段】電源出力を直接的に供給し得る主電源線ＢＡＴＴと、電源出力をアクセサリ・スイッチを作動させることによって供給し得るアクセサリ電源線ＡＣＣによって動作電源が供給される。両電源線による電源供給開始状態が電源監視部７で監視される。両電源線に同時に電源供給されたときに初期情報取得部８、制御部９、メモリ部１０によって展示台モードにされ、主電源線ＢＡＴＴのみに電源供給されたときには設置工事状態のモードとされ、両モードに対応して工事時と展示時のそれぞれに最適な状態に制御される。【選択図】図１
2005186636.tif 000002
【特許請求の範囲】
【請求項１】
電源の出力を直接的に供給し得る第１の電源供給ラインと、前記電源の出力をアクセサリ・スイッチを作動させることによって供給し得る第２の電源供給ラインによって動作電源が供給される車載型電子機器において、
前記第１の電源供給ラインと前記第２の電源供給ラインによる電源供給の開始状態を監視する監視手段と、
当該電子機器を車両に取付ける設置工事状態であるか、該電子機器が仮に設置された仮設置状態であるかを前記監視手段による監視結果に基づいて判定する判定手段と、
前記判定手段で前記設置工事状態と判定されたときに、該設置工事状態に対応した第１の初期設定モードにし、前記仮設置状態と判定されたときに該仮設置状態に対応した第２の初期設定モードに切替制御する制御手段とを具備することを特徴とする車載型電子機器。
【請求項２】
前記監視手段は、前記第１の電源供給ラインと前記第２の電源供給ラインに同時的に電源供給がされたか否かを監視するように構成し、
前記判定手段は、該監視手段によって前記第１の電源供給ラインと前記第２の電源供給ラインに同時的に電源供給がされていると監視されたときに仮設置状態であると判定し、前記第１の電源供給ラインのみに電源供給がされていると監視されたときに設置工事状態であると判定するように構成することを特徴とする請求項１に記載の車載型電子機器。
【請求項３】
前記制御手段は、前記第１の初期設定モードを、当該電子機器の本体に対して可動自在に設けられた操作パネルの状態が、車両に取付工事するに適した位置に初期設定すると共に、前記第２の初期設定モードを、前記操作パネルを当該電子機器を展示するに適した位置に初期設定するように構成することを特徴とする請求項１に記載の車載型電子機器。
【請求項４】
前記車載型電子機器は、少なくとも、音響出力信号によって放音し得るように構成され、
前記制御手段は、前記第１の初期設定モードに対応する放音量と、前記第２の初期設定モードに対応する放音量のそれぞれに対応付けて初期設定するように構成することを特徴とする請求項１に記載の車載型電子機器。
【請求項５】
前記車載型電子機器は、少なくとも、音響出力信号によって放音し得るように構成され、
前記制御手段は、前記第１の初期設定モードにおける実設置スピーカ特性と、前記第２の初期設定モードにおける仮設置スピーカ特性のそれぞれに対応付けて初期設定するように構成することを特徴とする請求項１に記載の車載型電子機器。
【請求項６】
前記車載型電子機器は、少なくとも、音響出力信号によって放音し得るように構成され、
前記制御手段は、前記第２の初期設定モードにされているときに、自動音声再生させる放音ソースを出力し得るように構成することを特徴とする請求項１に記載の車載型電子機器。
【請求項７】
前記車載型電子機器は、少なくとも、画像出力信号によって画像表示し得るように構成され、
前記制御手段は、前記第２の初期設定モードにおいて仮設置時に自動画像再生させる画像ソースを出力し得るように構成することを特徴とする請求項１に記載の車載型電子機器。
【請求項８】
電源の出力を直接的に供給し得る第１の電源供給ラインと、前記電源の出力をアクセサリ・スイッチを作動させることによって供給し得る第２の電源供給ラインによって動作電源が供給されると共に、
前記第１の電源供給ラインと前記第２の電源供給ラインによる電源供給の開始状態を監視する監視手段と、当該電子機器を車両に取付ける設置工事状態であるか、該電子機器が仮に設置された仮設置状態であるかを前記監視手段による監視結果に基づいて判定する判定手段と、前記判定手段で前記設置工事状態と判定されたときに、該設置工事状態に対応した第１の初期設定モードにし、前記仮設置状態と判定されたときに該仮設置状態に対応した第２の初期設定モードに切替制御する制御手段とを具備する車載型電子機器を仮設置する車載型電子機器の展示台であって、
前記第１の電源供給ラインと前記第２の電源供給ラインに同時的に電源供給するための電源部を具備することを特徴とする車載型電子機器の展示台。
【請求項９】
前記電源部を、複数の車載型電子機器のそれぞれを仮設置し得る複数の展示台のそれぞれに具備することを特徴とする請求項８に記載の車載型電子機器の展示台。
【請求項１０】
前記電源部を、複数の車載型電子機器を仮設置し得る１つの展示台に具備することを特徴とする請求項８に記載の車載型電子機器の展示台。
【発明の詳細な説明】
【技術分野】
【０００１】
本発明は、カーオーディオ機器やカーナビゲーション機器等々の車載型電子機器、及び車載型電子機器の展示台に関する。
【背景技術】
【０００２】
カーオーディオ機器等の車載型電子機器は、例えば図５に示すように機器本体１の前面には、使用状態に応じて角度を可変できると共に、前方にせり出す動作を行い得る可動式操作パネル２が配設され、該機器本体１において所期の動作を行わせるための電源供給を行うために機器背面から主電源線ＢＡＴＴとアクセサリ電源線
ＡＣＣと接地線ＧＮＤが引き出され、これらの電源線によって機器動作のための電源供給がなされている。
【０００３】
そして車載されたバッテリの電源出力を直接的に供給し得る第１の電源供給ラインである主電源線ＢＡＴＴには、バッテリの＋出力端子が接続され、電源出力をアクセサリ・スイッチを作動させることによって供給し得る第２の電源供給ラインであるアクセサリ電源線
ＡＣＣには、車のキー位置がアクセサリＯＮ位置に操作されたときにバッテリの＋出力が供給され、接地線ＧＮＤは、バッテリの−出力端子が固定的に電気接続された車両筺体に接続、またはバッテリの−出力端子に直接的に接続されることによって、所期の電子機器動作を行わせることができる。
【０００４】
機器本体１における所期の動作を行わせるための主回路部の内、時計回路やマイコンのデータバックアップ回路等々のように常時に電源が必要な回路部には、主電源線ＢＡＴＴのラインによる電源供給が常になされ、その他の回路部にはアクセサリ電源線ＡＣＣのラインによる電源供給がなされる。
【０００５】
このような機器本体１をショールームや販売店において、車両に設置せずに擬似稼動の状態で展示する場合には、展示台（什器）を利用して実際に電源を供給して動作させていて、この場合の電源は、車載バッテリと同等の出力を有する据え置き電源を準備し、その＋端子出力を機器本体１の主電源線ＢＡＴＴとアクセサリ電源線ＡＣＣに供給し、−端子出力を接地線ＧＮＤに臨時に接続して所期の動作を行わせている。
【０００６】
この電源は、主電源線ＢＡＴＴとアクセサリ電源線ＡＣＣの両方に同時的に接続されていて、ショールームや販売店のオープン時間帯にはオンされ、クローズ時間帯にはオフされる。この場合、クローズ時間帯の開始時において主電源線ＢＡＴＴとアクセサリ電源線ＡＣＣの両方の系統の電源供給がオフされることによって機器本体１における回路各部がリセットされ、一方、オープン時間帯の開始時にオンされることによって主電源線ＢＡＴＴとアクセサリ電源線ＡＣＣの両方の系統の電源供給が同時になされるので、回路各部が初期状態（工場出荷時の状態）にセットされる。
【０００７】
工場出荷時の初期状態というのは、当該の機器本体１を車両に設置する作業を行うに適した状態であり、通常の場合、可動式操作パネル２は、車両に取り付けて電源を入れても車の内装部材に当接しないように角度調節された位置が初期設定位置とされていて、可動式操作パネル２が例えば図６に示すようにインダッシュテレビのディスプレイ画面２ａを有する場合には、ディスプレイ画面２ａの部分が一番手前で、かつ可動式操作パネル２の角度が略垂直に起きている状態であった。
【０００８】
従って、このような初期設定位置でそのまま展示した場合には、見た目も悪く、実際のディスプレイ画面２ａによるテレビ画面が見学者にはっきりと見せられないために、何を展示しているのか分かり辛いものであるので有効な展示効果を得ることができない。
【０００９】
また、展示されている機器本体１の可動式操作パネル２の角度をディスプレイ画面２ａのテレビが見易くなるように、展示開始のときに係員が予め機器の操作ボタンを操作することによって図７に示すような見易い状態に電動で角度調整をすることができる。
【００１０】
一方、車載型電子機器が、カーオーディオ機器である場合には、例えば図８に示すように機器本体３の前部に角度を可変できる可動式操作パネル４が配設された例がある。
【００１１】
この例における初期状態（工場出荷時の状態）は、可動式操作パネル４が、車両に取り付けて電源を入れても車の内装部材に当接しないように角度調節された水平位置とされていて、可動式操作パネル４の表面に多種多様な操作釦が露呈した状態であった。
【００１２】
このような初期設定位置で展示した場合には、見た目も悪く、実際の可動式操作パネル４の操作釦が良く見られない角度であるので有効な展示効果を得ることができない。
【００１３】
このために、展示されている機器本体３の可動式操作パネル４の角度を、可動式操作パネル４の操作ボタンが見易くなるように、展示開始のときに係員が予め機器の操作ボタンを操作することによって図９に示すような見易い状態に電動で角度調整をすることができる。
【００１４】
また、展示状態で最適な角度位置にパネル角度を変化させる操作は、展示品を管理している販売店やショールームの管理者が展示の開始時に先立って、開場前に行う場合のみならず見学者等が自らキー操作を行うことによって行う場合がある。
【発明の開示】
【発明が解決しようとする課題】
【００１５】
従来の車載型電子機器は、それが展示されているときに、パネル等の角度が望ましい角度にされていなかった場合には、可動式操作パネル等の可動部を調節するためのキー操作方法を知らない見学者等の人が所定のキー操作をせずに、手指でもって無理に角度調節のための駆動をさせてしまい展示品を壊してしまう可能性がある。
【００１６】
また、展示製品が見学者等の人の目線の上方に位置し、実際に機器に触れることができない状態で展示する場合には、実使用時のパネル角度とは異なる角度に駆動した状態で展示しなければならず、踏み台等を用いて見やすい角度に調節せざるを得ず、煩雑作業であると共に無理な姿勢での作業を強いるという難点がある。
【００１７】
そこで、本発明は、車載型電子機器を実際に車両に設置する工事を行うときには、工事するに最適な初期位置に設定され、車載型電子機器を展示するときには、展示開始の前に行われている煩雑なパネル角度調節作業を行うことなく車載型電子機器に対して最良の展示状態とすることができる車載型電子機器及び車載型電子機器の展示台を提供することにある。
【課題を解決するための手段】
【００１８】
本発明による車載型電子機器は、次に列挙するような特徴的な構成を採用している。
【００１９】
（１）電源の出力を直接的に供給し得る第１の電源供給ラインと、前記電源の出力をアクセサリ・スイッチを作動させることによって供給し得る第２の電源供給ラインによって動作電源が供給される車載型電子機器において、
前記第１の電源供給ラインと前記第２の電源供給ラインによる電源供給の開始状態を監視する監視手段と、
当該電子機器を車両に取付ける設置工事状態であるか、該電子機器が仮に設置された仮設置状態であるかを前記監視手段による監視結果に基づいて判定する判定手段と、
前記判定手段で前記設置工事状態と判定されたときに、該設置工事状態に対応した第１の初期設定モードにし、前記仮設置状態と判定されたときに該仮設置状態に対応した第２の初期設定モードに切替制御する制御手段とを具備する車載型電子機器。
【００２０】
（２）前記監視手段は、前記第１の電源供給ラインと前記第２の電源供給ラインに同時的に電源供給がされたか否かを監視するように構成し、
前記判定手段は、該監視手段によって前記第１の電源供給ラインと前記第２の電源供給ラインに同時的に電源供給がされていると監視されたときに仮設置状態であると判定し、前記第１の電源供給ラインのみに電源供給がされていると監視されたときに設置工事状態であると判定するように構成する上記（１）に記載の車載型電子機器。
【００２１】
（３）前記制御手段は、前記第１の初期設定モードを、当該電子機器の本体に対して可動自在に設けられた操作パネルの状態が、車両に取付工事するに適した位置に初期設定すると共に、前記第２の初期設定モードを、前記操作パネルを当該電子機器を展示するに適した位置に初期設定するように構成する上記（１）に記載の車載型電子機器。
【００２２】
（４）前記車載型電子機器は、少なくとも、音響出力信号によって放音し得るように構成され、
前記制御手段は、前記第１の初期設定モードに対応する放音量と、前記第２の初期設定モードに対応する放音量のそれぞれに対応付けて初期設定するように構成する上記（１）に記載の車載型電子機器。
【００２３】
（５）前記車載型電子機器は、少なくとも、音響出力信号によって放音し得るように構成され、
前記制御手段は、前記第１の初期設定モードにおける実設置スピーカ特性と、前記第２の初期設定モードにおける仮設置スピーカ特性のそれぞれに対応付けて初期設定するように構成する上記（１）に記載の車載型電子機器。
【００２４】
（６）前記車載型電子機器は、少なくとも、音響出力信号によって放音し得るように構成され、
前記制御手段は、前記第２の初期設定モードにされているときに、自動音声再生させる放音ソースを出力し得るように構成する上記（１）に記載の車載型電子機器。
【００２５】
（７）前記車載型電子機器は、少なくとも、画像出力信号によって画像表示し得るように構成され、
前記制御手段は、前記第２の初期設定モードにおいて仮設置時に自動画像再生させる画像ソースを出力し得るように構成する上記（１）に記載の車載型電子機器。
【００２６】
（８）電源の出力を直接的に供給し得る第１の電源供給ラインと、前記電源の出力をアクセサリ・スイッチを作動させることによって供給し得る第２の電源供給ラインによって動作電源が供給されると共に、
前記第１の電源供給ラインと前記第２の電源供給ラインによる電源供給の開始状態を監視する監視手段と、当該電子機器を車両に取付ける設置工事状態であるか、該電子機器が仮に設置された仮設置状態であるかを前記監視手段による監視結果に基づいて判定する判定手段と、前記判定手段で前記設置工事状態と判定されたときに、該設置工事状態に対応した第１の初期設定モードにし、前記仮設置状態と判定されたときに該仮設置状態に対応した第２の初期設定モードに切替制御する制御手段とを具備する車載型電子機器を仮設置する車載型電子機器の展示台であって、
前記第１の電源供給ラインと前記第２の電源供給ラインに同時的に電源供給するための電源部を具備する車載型電子機器の展示台。
【００２７】
（９）前記電源部を、複数の車載型電子機器のそれぞれを仮設置し得る複数の展示台のそれぞれに具備する上記（８）に記載の車載型電子機器の展示台。
【００２８】
（１０）前記電源部を、複数の車載型電子機器を仮設置し得る１つの展示台に具備する上記（８）に記載の車載型電子機器の展示台。
【発明の効果】
【００２９】
本発明による車載型電子機器は、それが展示されているときには、機器への電源投入に伴って可動式操作パネル等の角度が望ましい角度に自動的に設定されるので、可動式操作パネル等の可動部を調節するためのキー操作方法を知らない見学者等の人が所定のキー操作をせずに、手指でもって無理に角度調節のための駆動をさせてしまい展示品を壊してしまうことが防止できる。
【００３０】
また、展示に望ましい角度に可動式操作パネル等を駆動することは、機器への電源投入と同時に行われるため、展示品を管理している販売店やショールームの管理者が展示の開始時に先立って行うという従来の煩雑作業を省略することができ、管理者の負担を大幅に減らすことが出来る。
【００３１】
従って、本発明によれば、車載型電子機器を実際に車両に設置する工事を行うときには、工事するに最適な初期位置に設定され、車載型電子機器を展示するときには、展示開始の前に行われている煩雑なパネル角度調節作業を行うことなく車載型電子機器に対して最良の展示状態とすることができる車載型電子機器及び車載型電子機器の展示台を提供することができる。
【実施例１】
【００３２】
図１は実施例１による車載型電子機器及び車載型電子機器の展示台の要部回路を示すブロック回路図である。
本例は、本発明による車載型電子機器がカーオーディオ機器の場合であり、カーオーディオ機器ａには、所期の動作を行わせるための電源供給が主電源線ＢＡＴＴとアクセサリ電源線ＡＣＣによって与えられ、図示しない接地線も接続されることによって所期の動作を行わせることができ、このカーオーディオ機器ａの全体が展示台５上に載せられ、もしくは実車のダッシュボードに模して展示台５に設けられた機器取付開口に取付けられる。
【００３３】
この主電源線ＢＡＴＴは、カーオーディオ機器ａを車両に設置したときに車載バッテリの電源出力を直接的に供給する第１の電源供給ラインとなっていて、アクセサリ電源線ＡＣＣは、電源出力を車両のアクセサリ・スイッチをアクセサリＯＮの位置に操作させることによって電源供給する第２の電源供給ラインとなっている。
【００３４】
展示台５には、主電源線ＢＡＴＴ（第１の電源供給ライン）とアクセサリ電源線ＡＣＣ（第２の電源供給ライン）に同時的に電源供給するために内蔵された電源５ａを有し、この電源５ａの出力はショールームや販売店のオープン時間帯にはオンされ、クローズ時間帯にはオフされる。この電源５ａは、図示のように展示台５に内蔵される場合と、展示台５の近傍に電源接続コードを介して設置される場合がある。
【００３５】
展示台５には、放音状態を確認してもらうための高中低域の再生周波数特性を有するスピーカ５ｂが内蔵されると共に、重低音の再生周波数特性を有するサブウーハ５ｃが内蔵されている。このスピーカ５ｂとサブウーハ５ｃは展示台５に内蔵する代わりに、展示台５の近傍に別体に設けられる状態で設置される場合もある。
【００３６】
カーオーディオ機器ａには、主電源線ＢＡＴＴとアクセサリ電源線ＡＣＣに電源供給されたときに機器本来に所期の動作を行わせるための主回路６を有し、この主回路６の内、時計回路やマイコンのデータバックアップ回路等々のように常時に電源が必要な回路部には、主電源線ＢＡＴＴのラインによる電源供給が常になされ、その他の回路部にはアクセサリ電源線ＡＣＣのラインによる電源供給がなされる。
【００３７】
第１の電源供給ラインである主電源線ＢＡＴＴと、第２の電源供給ラインであるアクセサリ電源線ＡＣＣによる電源供給状態を監視する監視手段が電源監視部７で構成され、電源監視部７の出力が初期情報取得部８に供給され、初期情報取得部８の出力によって制御部９が働き、機器の操作パネルの角度が駆動制御される。
【００３８】
初期情報取得部８に接続されたメモリ部１０は、主回路６による基本動作の制御のために用いられるメモリの一部を兼用して構成されたり、独立して構成され、後述の第１およびの第２の初期設定モードのそれぞれに対応する種々の設定データが固定的に格納されている。
【００３９】
初期情報取得部８は、機器が車両に設置された設置工事状態であるか、展示台５に仮設置された仮設置状態であるかを監視手段による監視結果に基づいて判定する判定手段であり、具体例としては、主電源線ＢＡＴＴの電圧と、アクセサリ電源線ＡＣＣの電圧を監視し、主電源線ＢＡＴＴとアクセサリ電源線ＡＣＣの両方に同時的に電圧印加がなされたときに仮設置状態と判定し、主電源線ＢＡＴＴのみに電圧印加され、アクセサリ電源線ＡＣＣには電圧印加されていないときに設置工事状態と判定される。
【００４０】
初期情報取得部８で得られた判定結果が設置工事状態とされたときには、メモリ部１０に格納されている第１の初期設定モードの設定データが取り出され、これに基づいて制御部９が働き操作パネルが車両取付工事時の状態、即ち、工場出荷時の状態に駆動される。
【００４１】
さて、カーオーディオ機器ａを車両に取付ける手順は、主電源線ＢＡＴＴ、アクセサリ電源線ＡＣＣ及び接地線ＧＮＤ（不図示）等が格納された電源コネクタを繋げ、車両のダッシュボード等に設けられた取付用開口に固定する。このとき主電源線ＢＡＴＴは先に電源投入され、その後に車両のキーをアクセサリ位置に操作することによってアクセサリ電源線ＡＣＣに電源投入されることになる。
【００４２】
一方、展示台５に設けられたカーオーディオ機器ａでは、電源５ａの出力が、主電源線ＢＡＴＴ及びアクセサリ電源線ＡＣＣの系統、即ち、第１及び第２の電源供給ラインの系統に同時的に電源投入がなされる。
【００４３】
よって、主電源線ＢＡＴＴとアクセサリ電源線ＡＣＣへの電源投入のタイミングを電源監視部７で監視し、主電源線ＢＡＴＴとアクセサリ電源線ＡＣＣの両方に同時的に電源投入がなされたと判定されたときには、展示台５にカーオーディオ機器ａが取り付けられた仮設置状態であると判定し、主電源線ＢＡＴＴへの電源投入のみの場合には、設置工事状態であると判定され、それぞれの状態における第１及び第２の初期設定モードの具体内容がメモリ部１０から取り出され、制御部９によってパネルメカ（不図示）が適正に制御される。
【００４４】
なお、図１に示すスピーカ５ｂとサブウーハ５ｃにはスピヘカコードを介してカーオーディオ機器ａの主回路６の有する音声増幅回路の出力端子（不図示）に接続され、所定の放音を行うことができ、見学者によるボタン操作によって音量、音質、音ソースの切り替え等々を行うことができる。
【実施例２】
【００４５】
実施例２は、図１に示す回路の一部（図２の回路部ｂ）を変更したものでカーオーディオ機器の全体は、少なくとも音響出力信号によって放音し得るように構成され、制御部１２は、実際に車載されたときの第１の初期設定モードに対応する放音量と、展示時の第２の初期設定モードに対応する放音量のそれぞれに対応付けて初期設定するデータを初期情報取得部１１によってメモリ部１３から取り出し制御部１２によって放音量を制御している。
【００４６】
即ち、広がった空間を有する展示場の環境と、狭い空間の車両内では、同一音量であっても音量が異なって感じ、車両内でちょうど良い音量にボリューム値を設定すると展示時における音量が小さく聞こえる場合がある。
【００４７】
これを解決するために、車両内において最良のボリューム値を展示時には上昇させることによって、車両内におけると同等の感じ方を展示時にするために印象深く有効な展示状態とすることができる。
【実施例３】
【００４８】
実施例３は、図１に示す回路の一部（図３の回路部ｃ）を変更したものでカーオーディオ機器の全体は、少なくとも音響出力信号によって放音し得るように構成され、制御部１５は、実際に車載されたときの第１の初期設定モードに対応する実設置スピーカ特性、即ち、サブウーハ５ｃの有無と、展示時の第２の初期設定モードに対応する仮設置スピーカ特性、即ち、サブウーハ５ｃの有無とのそれぞれに対応付けて初期設定するデータを初期情報取得部１４によってメモリ部１６から取り出して制御部１５によってサブウーハ５ｃの使用を制御している。
【００４９】
そして、展示台５にはサブウーハ５ｃがあるのに対して、ユーザーの車両はサブウーハ５ｃがあるとは限らないので、第２の初期設定モードの設定はサブウーハ設定済ということにし、設置工事状態においてはサブウーハ設定なしということも可能である。このために、展示台の環境に合わせた設定ができ展示台で良好な状態で放音させることができる。
【実施例４】
【００５０】
一般に車載型電子機器には電源が供給される以前から再生機構部にＣＤやＭＤがセットされている場合があり、その場合には展示台への電源投入と同時に展示台モード（第２の初期設定モード）になってＣＤ等の音ソースが自動再生するようにできる。この例を［実施例４］として説明する。
【００５１】
実施例４は、図１に示す回路の一部（図４の回路部ｄ）を変更したものでカーオーディオ機器の全体は、少なくとも音響出力信号によって放音し得るように構成され、制御部１８は、第２の初期設定モードにされているときに、自動音声再生させる放音ソースを出力し得るように構成され、展示時の第２の初期設定モードに対応する放音ソースを初期設定するデータを初期情報取得部１７によってメモリ部１９から取り出して制御部１８によって自動音声再生されるので印象深く有効な展示状態とすることができる。
【００５２】
なお、このような自動音声再生の他の例としては、車載型電子機器を、少なくとも画像出力信号によって画像表示し得るように構成し、第２の初期設定モードにおいて仮設置時に自動画像再生させる画像ソースを出力し得るように構成することによって映像ソースが再生されるのでより印象深く有効な展示状態とすることができ、音声の自動再生を追加して設けることによってより訴求性の強い展示状態とすることができる。
【００５３】
また、展示台（図１の符号５参照）の有する電源部は、１台の車載型電子機器に対してのものであるが、複数の車載型電子機器のそれぞれを仮設置し得る複数の展示台のそれぞれに具備するように構成したり、当該の電源部を、複数の車載型電子機器を仮設置し得る１つの展示台に具備するように構成してもよい。
【図面の簡単な説明】
【００５４】
【図１】本発明の実施例１による車載型電子機器及び車載型電子機器の展示台の要部回路を示すブロック回路図である。
【図２】本発明の実施例２による車載型電子機器及び車載型電子機器の要部回路を示すブロック回路図である。
【図３】本発明の実施例３による車載型電子機器及び車載型電子機器の要部回路を示すブロック回路図である。
【図４】本発明の実施例４による車載型電子機器及び車載型電子機器の要部回路を示すブロック回路図である。
【図５】従来の車載型電子機器の電源ラインの一例を示す斜視図である。
【図６】従来の車載型電子機器の可動式操作パネルのディスプレイ画面の角度が工場出荷時の場合を示す斜視図である。
【図７】従来の車載型電子機器の可動式操作パネルのディスプレイ画面の角度が機器展示時の場合を示す斜視図である。
【図８】従来の車載型電子機器の可動式操作パネルの操作ボタン位置が工場出荷時の場合を示す斜視図である。
【図９】従来の車載型電子機器の可動式操作パネルの操作ボタン位置が機器展示時の場合を示す斜視図である。
【符号の説明】
【００５５】
１機器本体
２  可動式操作パネル
２ａ  ディスプレイ画面
３  機器本体
３ａ  ディスク挿入口
４  可動式操作パネル
５  展示台
５ａ  電源
５ｂ  スピーカ
５ｃ  サブウーハ
６  主回路
７  電源監視部
８  初期情報取得部
９  制御部
１０  メモリ部
１１  初期情報取得部
１２  制御部
１３  メモリ部
１４  初期情報取得部
１５  制御部
１６  メモリ部
１７  初期情報取得部
１８  制御部
１９  メモリ部
【図１】
2005186636.tif 000003
【図２】
2005186636.tif 000004
【図３】
2005186636.tif 000005
【図４】
2005186636.tif 000006
【図５】
2005186636.tif 000007
【図６】
2005186636.tif 000008
【図７】
2005186636.tif 000009
【図８】
2005186636.tif 000010
【図９】
2005186636.tif 000011